(57)【特許請求の範囲】
【請求項１】
一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、
一方の前記コネクタを把持する把持位置と一方の前記コネクタの把持を解除する把持解除位置との間で変位するコネクタ把持部と、前記コネクタ把持部に移動自在に支持され、嵌合操作開始位置と嵌合操作完了位置の間で操作できるレバー本体とを備え、
前記レバー本体の操作位置によって前記コネクタ把持部が変位し、前記レバー本体が操作嵌合操作開始位置から嵌合操作完了位置の直前位置までの位置では前記コネクタ把持部が把持位置に、前記レバー本体の嵌合操作完了位置では前記コネクタ把持部が把持解除位置に変位することを特徴とするレバー治具。
【請求項２】
請求項１記載のレバー治具であって、
前記コネクタ把持部は、互いの間隔が狭い把持位置と互いの間隔が広い把持解除位置との間で変位する一対の可動把持部と、一対の前記可動把持部を把持解除位置側に付勢する付勢手段とを有し、
前記レバー本体は、一対の前記可動把持部に把持位置及び把持解除位置共にそれぞれ移動自在に支持された一対のアーム部を有し、一対の前記アーム部には前記付勢手段の付勢力が作用した一対の前記可動把持部が当接する第１当接面と第２当接面がそれぞれ設けられ、
一対の前記可動把持部は、一対の前記アーム部の嵌合操作開始位置から嵌合操作完了位置の直前位置までの位置では前記第１当接面に当接して把持位置を保持し、一対の前記アーム部の嵌合操作完了位置では第２当接面に当接することによって把持位置から把持解除位置に変位することを特徴とするレバー治具。
【請求項３】
互いに嵌合可能である一対のコネクタと、
一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、
一方の前記コネクタは、前記レバー治具に把持され、且つ、把持状態から取り外しできるよう設けられ、
前記レバー治具は、一方の前記コネクタを把持する把持位置と一方の前記コネクタの把持を解除する把持解除位置との間で変位するコネクタ把持部と、前記コネクタ把持部に移動自在に支持され、嵌合操作開始位置と嵌合操作完了位置の間で操作できるレバー本体とを備え、前記レバー本体の操作位置によって前記コネクタ把持部が変位し、前記レバー本体が操作嵌合操作開始位置から嵌合操作完了位置の直前位置までの位置では前記コネクタ把持部が把持位置に、前記レバー本体の嵌合操作完了位置では前記コネクタ把持部が把持解除位置に変位することを特徴とするコネクタ装置。
【発明の詳細な説明】
【技術分野】
【０００１】
本発明は、一対のコネクタ間を低い操作力で嵌合できるレバー治具、及び、これを用いるコネクタ装置に関する。
【背景技術】
【０００２】
従来より、レバーの操作で一対のコネクタを低い操作力で嵌合できるようにしたコネクタ装置が種々提案されている（例えば、特許文献１参照。）。このようなコネクタ装置の中には、コネクタにレバーを着脱自在、つまり、レバー治具として設けたものも提案されている。レバー治具とすることにより複数のコネクタ装置の嵌合作業を行い、部品費の削減等を図ることができる。かかるレバー治具及びこれを用いたコネクタ装置の一従来例が図１２〜図１５に示されている。以下、説明する。
【０００３】
コネクタ装置１００は、図１２に示すように、レバー治具１０１と一対のコネクタである雌コネクタ１２０及び雄コネクタ１３０とを備えている。
【０００４】
レバー治具１０１は、図１３に詳しく示すように、コネクタ装着部１０２と、このコネクタ装着部１０２に回転自在に支持されたレバー本体１１０とを備えている。コネクタ装着部１０２は、一対の側壁１０３とこれらを連結する連結壁部１０４とを有する。一対の側壁１０３の上端には、互いに内側に突出する上方ストッパ片１０３ａが設けられている。一対の側壁１０３内には、底面側から雌コネクタ１２０が挿入できるようになっている。一対の側壁１０３には、内側に突出するコネクタ係止爪１０５が複数箇所にそれぞれ設けられている。一対の側壁１０３の外面には、一対の支持ピン１０６が突設されている。一対の側壁１０３には、一対の仮係止孔１０７が設けられていると共に各仮係止孔１０７に連通するガイドスリット１０８が設けられている。一対の側壁１０３で、且つ、仮係止孔１０７の下方には、レバーストッパ部１０９が突設されている。
【０００５】
レバー本体１１０は、一対のアーム部１１１と、この一対のアーム部１１１間を先端で連結する操作部１１２とを備えている。一対のアーム部１１１の内面側には、一対のピン受け孔１１３が設けられている。この一対のピン受け孔１１３にコネクタ装着部１０２の各支持ピン１０６が挿入されている。これにより、レバー本体１１０は、一対の支持ピン１０６を支点として嵌合操作開始位置と嵌合操作完了位置の間で回転操作できる。一対のアーム部１１１の内側には、一対のボス引き込み溝１１４が設けられている。一対のアーム部１１１には、内側に突出する仮係止爪１１５がそれぞれ設けられている。レバー本体１１０は、レバーストッパ部１０９に突き当たる位置では、仮係止爪１１５が仮係止孔１０７に係止される。この位置がレバー本体１１０の嵌合操作開始位置である（図１２参照）。
【０００６】
図１２に示すように、雌コネクタ１２０と雄コネクタ１３０は、互いに嵌合、離脱可能に設けられている。雌コネクタ１２０と雄コネクタ１３０には、共に多数の端子（図示せず）を有し、嵌合状態では双方の多数の端子（図示せず）間が接触される。雌コネクタ１２０の上部には、両側面より突出するフランジ部１２１が設けられている。雄コネクタ１３０は、上方が開口されたコネクタ嵌合室１３１を有する。雄コネクタ１３０の両側面には、一対のボス部１３２と、一対の仮係止解除・ガイドリブ１３３が突設されている。
【０００７】
次に、雌コネクタ１２０と雄コネクタ１３０の嵌合作業を説明する。レバー治具１０１のレバー本体１１０は、嵌合操作開始位置にセットされているものとする。先ず、レバー治具１０１のコネクタ装着部１０２の底面側より雌コネクタ１２０を挿入する。完全挿入位置まで挿入されると、雌コネクタ１２０のフランジ部１２１にコネクタ装着部１０２の各コネクタ係止爪１０５が係止する。これでレバー治具１０１と雌コネクタ１２０が連結される。
【０００８】
次に、雄コネクタ１３０のコネクタ嵌合室１３１に雌コネクタ１２０を挿入する。すると、雄コネクタ１３０の仮係止解除・ガイドリブ１３３が仮係止爪１１５を解除位置に変位させ、レバー本体１１０が回転操作可能となる。又、雄コネクタ１３０の一対のボス部１３２がレバー本体１１０の一対のボス引き込み溝１１４に入り込む。これで、雌コネクタ１２０と雄コネクタ１３０が嵌合開始位置にセットされる。
【０００９】
次に、レバー本体１１０を嵌合操作開始位置から嵌合操作完了位置側に回転操作する。すると、雄コネクタ１３０の一対のボス部１３２がレバー本体１１０の一対のボス引き込み溝１１４を移動し、雄コネクタ１３０が雌コネクタ１２０に引き込まれる。つまり、雄コネクタ１３０が嵌合位置側に移動する。図１４及び図１５に示すように、レバー本体１１０の回転操作が進み、嵌合操作完了位置の近くまで来ると、雄コネクタ１３０の左右上端がコネクタ装着部１０２の各コネクタ係止爪１０５に突き当たる。この状態より更にレバー本体１１０を嵌合操作完了位置まで回転すると、雄コネクタ１３０が嵌合完了位置まで引き込まれると共に各コネクタ係止爪１０５が解除位置に変位される。これで、雌コネクタ１２０と雄コネクタ１３０の嵌合作業が完了する。レバー治具１０１は、各コネクタ係止爪１０５が解除位置とされるため、雌コネクタ１２０より離脱させることができる。
【先行技術文献】
【特許文献】
【００１０】
【特許文献１】特開２００９−１８７８６３号公報
【発明の概要】
【発明が解決しようとする課題】
【００１１】
しかしながら、前記従来のレバー治具１０１及びこれを用いたコネクタ装置１００では、嵌合作業中に雌コネクタ１２０と雄コネクタ１３０の相対的位置が傾くと、嵌合操作完了位置よりも手前位置で深く引き込まれた側のコネクタ係止爪１０５が解除位置に変位する。一部のコネクタ係止爪１０５が解除位置に変位すると、レバー治具１０１を雌コネクタ１２０より取り外し可能となる。従って、雌コネクタ１２０及び雄コネクタ１３０間が半嵌合の状態でレバー治具１０１を雌コネクタ１２０より取り外してしまう恐れがある。
【００１２】
そこで、本発明は、前記した課題を解決すべくなされたものであり、一対のコネクタの半嵌合状態における取り外しを確実に防止できるレバー治具及びこれに用いたコネクタ装置を提供することを目的とする。
【課題を解決するための手段】
【００１３】
本発明は、一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、一方の前記コネクタを把持する把持位置と一方の前記コネクタの把持を解除する把持解除位置との間で変位するコネクタ把持部と、前記コネクタ把持部に移動自在に支持され、嵌合操作開始位置と嵌合操作完了位置の間で操作できるレバー本体とを備え、前記レバー本体の操作位置によって前記コネクタ把持部が変位し、前記レバー本体が操作嵌合操作開始位置から嵌合操作完了位置の直前位置までの位置では前記コネクタ把持部が把持位置に、前記レバー本体の嵌合操作完了位置では前記コネクタ把持部が把持解除位置に変位することを特徴とするレバー治具である。
【００１４】
前記コネクタ把持部は、互いの間隔が狭い把持位置と互いの間隔が広い把持解除位置との間で変位する一対の可動把持部と、一対の前記可動把持部を把持解除位置側に付勢する付勢手段とを有し、前記レバー本体は、一対の前記可動把持部に把持位置及び把持解除位置共にそれぞれ移動自在に支持された一対のアーム部を有し、一対の前記アーム部には前記付勢手段の付勢力が作用した一対の前記可動把持部が当接する第１当接面と第２当接面がそれぞれ設けられ、一対の前記可動把持部は、一対の前記アーム部の嵌合操作開始位置から嵌合操作完了位置の直前位置までの位置では前記第１当接面に当接して把持位置を保持し、一対の前記アーム部の嵌合操作完了位置では第２当接面に当接することによって把持位置から把持解除位置に変位するよう構成するものを含む。
【００１５】
他の本発明は、互いに嵌合可能である一対のコネクタと、一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、一方の前記コネクタは、前記レバー治具に把持され、且つ、把持状態から取り外しできるよう設けられ、前記レバー治具は、一方の前記コネクタを把持する把持位置と一方の前記コネクタの把持を解除する把持解除位置との間で変位するコネクタ把持部と、前記コネクタ把持部に移動自在に支持され、嵌合操作開始位置と嵌合操作完了位置の間で操作できるレバー本体とを備え、前記レバー本体の操作位置によって前記コネクタ把持部が変位し、前記レバー本体が操作嵌合操作開始位置から嵌合操作完了位置の直前位置までの位置では前記コネクタ把持部が把持位置に、前記レバー本体の嵌合操作完了位置では前記コネクタ把持部が把持解除位置に変位することを特徴とするコネクタ装置である。
【発明の効果】
【００１６】
本発明によれば、レバー治具２のレバー本体１０を嵌合操作開始位置から嵌合操作完了位置に操作し、嵌合操作開始位置から嵌合操作完了位置の直前位置までの操作ではコネクタ把持部３が把持位置を保持し、嵌合操作完了位置まで操作が完了して初めてコネクタ把持部が把持解除位置に変位し、レバー治具を一方のコネクタより取り外し可能となる。従って、一対のコネクタ間が半嵌合の状態では取り外しできないため、一対のコネクタの半嵌合状態における取り外しを確実に防止できる。
【図面の簡単な説明】
【００１７】
【図１】本発明の一実施形態を示し、コネクタ装置の分解斜視図である。
【図２】本発明の一実施形態を示し、レバー治具の斜視図である。
【図３】本発明の一実施形態を示し、レバー治具のコネクタ装着部の要部斜視図である。
【図４】本発明の一実施形態を示し、レバー治具のレバー本体の分解斜視図である。
【図５】本発明の一実施形態を示し、コネクタ嵌合作業の一過程を示す斜視図である。
【図６】本発明の一実施形態を示し、コネクタ嵌合作業の一過程を示す斜視図である。
【図７】本発明の一実施形態を示し、コネクタ嵌合作業の一過程を示す斜視図である。
【図８】本発明の一実施形態を示し、コネクタ嵌合作業の一過程を示す斜視図である。
【図９】本発明の一実施形態を示し、コネクタ嵌合作業の一過程を示す斜視図である。
【図１０】本発明の一実施形態を示し、コネクタ嵌合作業の一過程を示す斜視図である。
【図１１】本発明の一実施形態を示し、コネクタ嵌合作業の一過程を示す斜視図である。
【図１２】従来例を示し、コネクタ装置の分解斜視図である。
【図１３】従来例を示し、レバー治具の分解斜視図である。
【図１４】従来例を示し、コネクタ嵌合作業の一過程を示す斜視図である。
【図１５】従来例を示し、コネクタ嵌合作業の一過程を示す側面図である。
【発明を実施するための形態】
【００１８】
以下、本発明の実施形態を図面に基づいて説明する。
【００１９】
図１〜図１１は本発明の一実施形態を示す。図１に示すように、コネクタ装置１は、レバー治具２と一対のコネクタである雌コネクタ２０及び雄コネクタ３０とを備えている。
【００２０】
レバー治具２は、コネクタ把持部３と、このコネクタ把持部３に回転自在に支持されたレバー本体１０とを備えている。
【００２１】
コネクタ把持部３は、図１〜図３に示すように、一対の可動把持部４Ａ，４Ｂと、付勢手段であるコイルバネ５とを有する。一対の可動把持部４Ａ，４Ｂは、互いに摺動自在に連結する連結突部４ａ，４ｂを有する。一対の可動把持部４Ａ，４Ｂは、互いの連結突部４ａ，４ｂ間の摺動移動によって互いの間隔が広げる方向及び狭める方向に移動できる。この移動によって、一対の可動把持部４Ａ，４Ｂは、下記するレバー本体１０の一対のアーム部１１の操作位置に基づき、互いの間隔が狭く雌コネクタ２０を把持する把持位置と互いの間隔が広く雌コネクタ２０の把持を解除する把持解除位置に変位する。一対のアーム部１１の操作位置に基づいて一対の可動把持部４Ａ，４Ｂが変位するメカニズムについては、下記する。
【００２２】
双方の連結突部４ａ，４ｂの対向面には、バネ収容孔４ｃがそれぞれ形成されている。この双方のバネ収容孔４ｃにコイルバネ５が収容されている。コイルバネ５は、一対の可動把持部４Ａ，４Ｂを間隔を広げる方向、つまり、把持解除方向に付勢する。
【００２３】
一対の可動把持部４Ａ，４Ｂの内面側には、一対の二条の挟持用突部４ｄが突設されている。一対の挟持用突部４ｄは、各可動把持部４Ａ，４Ｂの全長に亘って設けられている。一対の可動把持部４Ａ，４Ｂの外面には、一対の支持ピン６が突設されている。一対の支持ピン６は、可動把持部４Ａ，４Ｂが把持位置でも把持解除位置でもレバー本体１０のピン受け孔１３への挿入状態を維持するよう長寸法に設定されている。
【００２４】
一対の可動把持部４Ａ，４Ｂには、一対の仮係止孔７が設けられていると共に各仮係止孔７に連通するガイドスリット８が設けられている。一対の可動把持部４Ａ，４Ｂの外面には、仮係止孔７の下方にレバーストッパ部９が突設されている。
【００２５】
レバー本体１０は、図１、図２及び図４に示すように、一対のアーム部１１と、この一対のアーム部１１間を先端で連結する操作部１２とを備えている。一対のアーム部１１の内面側には、一対のピン受け孔１３が設けられている。この一対のピン受け孔１３にコネクタ把持部３の各支持ピン６が挿入されている。これにより、レバー本体１０は、一対の支持ピン６を支点として嵌合操作開始位置と嵌合操作完了位置の間で回転操作できる。一対のアーム部１１の内側には、一対のボス引き込み溝１４が設けられている。各ボス引き込み溝１４は、レバー本体１０の嵌合操作開始位置と嵌合操作完了位置では、それぞれ真下位置に開口する。つまり、レバー本体１０の嵌合操作開始位置と嵌合操作完了位置では、各ボス引き込み溝１４に下記する雄コネクタ３０のボス部３２が挿入・離脱できるようになっている。
【００２６】
一対のアーム部１１には、内側に突出する仮係止爪１５がそれぞれ設けられている。レバー本体１０は、レバーストッパ部９に突き当たる位置では、仮係止爪１５が仮係止孔７に係止される。この位置がレバー本体１０の嵌合操作開始位置である（図６，図７参照）。
【００２７】
一対のアーム部１１には、コイルバネ５のバネ力が作用した一対の可動把持部４Ａ，４Ｂの外面が当接している。一対のアーム部１１には、互いの間隔が狭い一対の第１当接面１１ａと互いの間隔が広い一対の第２当接面１１ｂが設けられている。一対の第１当接面１１ａに当接する位置では、一対の可動把持部４Ａ，４Ｂが把持位置に位置する。一対の第２当接面１１ｂに当接する位置では、一対の可動把持部４Ａ，４Ｂが把持解除位置に位置する。第１当接面１１ａと第２当接面１１ｂの間には、ほぼ直角に近い角度の段差面１１ｃが設けられている。一対の可動把持部４Ａ，４Ｂは、一対のアーム部１１の嵌合操作開始位置から嵌合操作完了位置の直前位置までの位置では少なくとも一部が第１当接面１１ａに当接してコネクタ把持位置に位置し（図６〜図９）、一対のアーム部１１の嵌合操作完了位置では第１当接面１１ａから外れて全面が同一タイミングで第２当接面１１ｂに当接してコネクタ把持位置からコネクタ把持解除位置に一瞬で変位するようになっている（図１０参照）。
【００２８】
図１に示すように、雌コネクタ２０と雄コネクタ３０は、互いに嵌合、離脱可能に設けられている。雌コネクタ２０と雄コネクタ３０には、共に多数の端子（図示せず）を有し、嵌合状態では双方の多数の端子（図示せず）間が接触される。
【００２９】
雌コネクタ２０の両側面の上部には、一対の突部２１が突設されている。二条の突部２１は、雌コネクタ２０の側面の全長さに亘って設けられている。両側の突部２１が一対の可動把持部４Ａ，４Ｂの二条の挟持用突部４ｄ間に入り込むように位置合わせし、雌コネクタ２０をコネクタ把持部３で把持する。この挟持構造によって、コネクタ把持部３は、雌コネクタ２０を強固に把持できる。
【００３０】
雄コネクタ３０は、上方が開口されたコネクタ嵌合室３１を有する。雄コネクタ３０の両側面には、一対のボス部３２が突設されている。雄コネクタ３０の両側面には、一対の仮係止解除・ガイドリブ３３が縦方向に沿って突設されている。
【００３１】
次に、雌コネクタ２０と雄コネクタ３０の嵌合作業を説明する。図５に示すように、レバー治具２は、レバー本体１０が嵌合操作完了位置に位置し、コネクタ把持部３が把持解除位置に位置するものとする。コネクタ把持部３の一対の可動把持部４Ａ，４Ｂ間のスペースに雌コネクタ０を位置させる。そして、雌コネクタ２０の左右の突部２１が各可動把持部４Ａ，４Ｂの二条の挟持用突部４ｄ内に入り込むよう位置合わせしつつレバー本体１０を嵌合操作開始位置側に回転操作する。ここで、レバー本体１０の嵌合操作完了位置では、一対のアーム部１１の段差面１１ｃに一対の可動把持部４Ａ，４Ｂの上面端が当接しているため、一対の可動把持部４Ａ，４Ｂが段差面１１ｃを乗り越えることによって嵌合操作開始位置まで回転する。一対の可動把持部４Ａ，４Ｂが段差面１１ｃを乗り越えて第１当接面１１ａに当接面を変えることによって、一対の可動把持部４Ａ，４Ｂは把持位置に変位する。
【００３２】
図６に示すように、レバー本体１０の嵌合操作開始位置では、一対の可動把持部４Ａ，４Ｂは、把持位置に位置し雌コネクタ２０を把持する。これにより、雌コネクタ２０は、コネクタ把持部３に位置決めされ、コネクタ把持部３より取り外すことができない。又、嵌合操作開始位置では、レバー本体１０の仮係止爪１５がコネクタ把持部３の仮係止孔７に係止され、この位置でレバー本体１０が仮止めされる。これで、レバー治具２への雌コネクタ２０のセットが完了する。
【００３３】
次に、図７に示すように、雄コネクタ３０のコネクタ嵌合室３１に雌コネクタ２０を挿入する。この挿入によって、雄コネクタ３０の一対のボス部３２がレバー本体１０の一対のボス引き込み溝１４に入り込む。これで、雌コネクタ２０と雄コネクタ３０が嵌合開始位置にセットされる。又、雄コネクタ３０の仮係止解除・ガイドリブ３３がレバー本体１０の仮係止爪１５を解除位置に変位させ、レバー本体１０が操作可能とされる。
【００３４】
次に、図８に示すように、レバー本体１０を嵌合操作開始位置から嵌合操作完了位置側に回転操作する。すると、雄コネクタ３０の一対のボス部３２がレバー本体１０の一対のボス引き込み溝１４を移動し、雄コネクタ３０が雌コネクタ２０に引き込まれる。つまり、雄コネクタ３０が嵌合位置側に移動する。
【００３５】
ここで、レバー本体１０の操作位置が嵌合操作完了位置に近づくと、一対の可動把持部４Ａ，４Ｂがアーム部１１の第１当接面１１ａに当接する面積が徐々に少なくなる。そして、図９に示すように、嵌合操作完了位置の直前位置まで来ると、一対の可動把持部４Ａ，４Ｂの一端のみがアーム部１１の第１当接面１１ａに当接する。しかし、一対の可動把持部４Ａ，４Ｂは少なくとも一部がアーム部１１の第１当接面１１ａに当接して一対の第１当接面１１ａの規制を受けるため、一対の可動把持部４Ａ，４Ｂは把持位置を維持する。
【００３６】
図１０に示すように、レバー本体１０が嵌合操作完了位置まで回転すると、雄コネクタ３０が嵌合完了位置まで引き込まれる。又、レバー本体１０が嵌合操作完了位置に達すると、一対の可動把持部４Ａ，４Ｂが初めてアーム部１１の第１当接面１１ａより外れ、コイルバネ５のバネ力によって第２当接面１１ｂに当接位置を移行する。つまり、一対の可動把持部４Ａ，４Ｂは、レバー本体１０の嵌合操作完了位置で初めて把持解除位置に変位する。これで、レバー治具２は雌コネクタ２０より取り外し可能となる。図１１に示すように、レバー治具２を雌コネクタ２０より取り外し、コネクタ嵌合作業が完了する。
【００３７】
以上説明したように、レバー治具２は、雌コネクタ２０を把持する把持位置と雌コネクタ２０の把持を解除する把持解除位置との間で変位するコネクタ把持部３と、コネクタ把持部３に移動自在に支持され、嵌合操作開始位置と嵌合操作完了位置の間で操作できるレバー本体１０とを備え、レバー本体１０の操作位置によってコネクタ把持部３が変位し、レバー本体１０が操作嵌合操作開始位置から嵌合操作完了位置の直前位置までの位置ではコネクタ把持部３が把持位置に、レバー本体１０の嵌合操作完了位置ではコネクタ把持部３が把持解除位置に変位する。
【００３８】
従って、レバー治具２のレバー本体１０を嵌合操作開始位置から嵌合操作完了位置に操作し、嵌合操作開始位置から嵌合操作完了位置の直前位置までの操作ではコネクタ把持部３が把持位置を保持し、嵌合操作完了位置まで操作が完了して初めてコネクタ把持部３が把持解除位置に変位して、レバー治具２を雌コネクタより取り外し可能となる。従って、雌コネクタ２０及び雄コネクタ３０間が半嵌合の状態では取り外しできないため、雌コネクタ２０及び雄コネクタ３０間の半嵌合状態における取り外しを確実に防止できる。
【００３９】
コネクタ把持部３は、互いの間隔が狭い把持位置と互いの間隔が広い把持解除位置との間で変位する一対の可動把持部４Ａ,４Ｂと、一対の可動把持部４Ａ,４Ｂを把持解除位置側に付勢する付勢手段であるコイルバネ５とを有し、レバー本体１０は、一対の可動把持部４Ａ,４Ｂに把持位置及び把持解除位置共にそれぞれ回転自在に支持された一対のアーム部１１を有し、一対のアーム部１１にはコイルバネ５のバネ力が作用した一対の可動把持部４Ａ,４Ｂが当接する第１当接面１１ａと第２当接面１１ｂがそれぞれ設けられ、一対の可動把持部４Ａ,４Ｂは、一対のアーム部１１の嵌合操作開始位置から嵌合操作完了位置の直前位置までの位置では第１当接面１１ａに当接して把持位置を維持し、一対のアーム部１１の嵌合操作完了位置では第２当接面１１ｂに当接することによって把持位置から把持解除位置に変位する。従って、レバー本体１０の操作位置に基づいてコネクタ把持部３を変位させる構造を、一対の可動把持部４Ａ，４Ｂ、付勢手段であるコイルバネ５及び一対のアーム部１１という少ない部品点数で、且つ、簡単な構成で実現できる。
【００４０】
レバー治具２の嵌合作業終了時には、図１１に示すように、レバー本体１０が嵌合操作完了位置に位置される。レバー本体１０の嵌合操作完了位置では、一対のアーム部１１の段差面１１ｃに一対の可動把持部４Ａ，４Ｂの上面端が当接されるため、一対のアーム部１１が嵌合操作完了位置に仮ロックされる。従って、次のコネクタ嵌合作業を行う際に使い勝手が良い。
【符号の説明】
【００４１】
１  コネクタ装置
２  レバー治具
３  コネクタ把持部
４Ａ，４Ｂ  可動把持部
５  コイルバネ（付勢手段）
１０  レバー本体
１１  アーム部
１１ａ  第１当接面
１１ｂ  第２当接面
２０  雌コネクタ（コネクタ）
３０  雄コネクタ（コネクタ）
【図１】
0005662209.tif 000002
【図２】
0005662209.tif 000003
【図３】
0005662209.tif 000004
【図４】
0005662209.tif 000005
【図５】
0005662209.tif 000006
【図６】
0005662209.tif 000007
【図７】
0005662209.tif 000008
【図８】
0005662209.tif 000009
【図９】
0005662209.tif 000010
【図１０】
0005662209.tif 000011
【図１１】
0005662209.tif 000012
【図１２】
0005662209.tif 000013
【図１３】
0005662209.tif 000014
【図１４】
0005662209.tif 000015
【図１５】
0005662209.tif 000016